(57)【要約】      （修正有）【課題】タイルが下地材から外れて落下することがなく、取り付け作業が極めて容易で工期の短縮も可能であることに加え、形成が容易であると共にタイルの強度に影響を与えることがなく、小さいタイルにも使用することができるタイル取付金具およびそのタイル取付金具を用いたタイル取付構造を提供する。【解決手段】タイル取付金具１は、タイル５０の裏面５０ａに沿って配される一対の線状部２ａ、２ｂを有すると共に下地材に係止するための係止部２ｃを備えた第１線状部２と、第１線状部２の一対の線状部２ａ、２ｂの端部にそれぞれ連続して設けられ第１線状部２が延在する方向に対して側面視で一方側に突出するように設けられた湾曲部３ａ、３ｂを有した第２線状部３とを有し、第２線状部３は、タイル５０の裏面５０ａにおいて裏面５０ａ側から表面５０ｂ側に向かって斜め上方に向かって形成され裏面視においてＵ字形または馬蹄形に形成された取付金具挿入用凹条部５１内に挿入されて係止される。【選択図】図５
0003234919.tif 000002
【実用新案登録請求の範囲】
【請求項１】
下地材とタイルとの間に介在され前記下地材に前記タイルを取り付けるためのタイル取付金具であって、
該タイル取付金具は金属製線状体を屈曲または湾曲して形成され、
前記タイルの裏面に沿って配される一対の線状部を有すると共に前記下地材に係止するための係止部を備えた第１線状部と、
該第１線状部の前記一対の線状部の端部にそれぞれ連続して設けられ前記第１線状部が延在する方向に対して側面視で一方側に突出するように設けられた湾曲部を有した第２線状部とを有し、
前記第２線状部は、前記タイルの裏面において裏面側から表面側に向かって斜め上方に向かって形成され裏面視においてＵ字形または馬蹄形に形成された取付金具挿入用凹条部内に挿入されて係止されることを特徴とするタイル取付金具。
【請求項２】
前記第２線状部は、前記第１線状部が延在する方向に対して側面視で斜め下方に延在するように構成されている請求項１に記載のタイル取付金具。
【請求項３】
前記タイル取付金具は、一本のステンレス製バネ材にて形成されている請求項１または２に記載のタイル取付金具。
【請求項４】
前記第１線状部の前記係止部は正面視で頂部に設けられた環状部である請求項１ないし３のいずれかに記載のタイル取付金具。
【請求項５】
下地材とタイルとの間に介在され前記下地材に前記タイルを取り付けるためのタイル取付金具が固定されるタイルであって、
前記タイル取付金具は金属製線状体を屈曲または湾曲して形成され、前記タイルの裏面に沿って配される一対の線状部を有すると共に前記下地材に係止するための係止部を備えた第１線状部と、該第１線状部の前記一対の線状部の端部にそれぞれ連続して設けられ前記第１線状部が延在する方向に対して側面視で一方側に突出するように設けられた湾曲部を有した第２線状部とを有し、
前記タイル取付金具の前記第２線状部が、前記タイルの裏面において裏面側から表面側に向かって斜め上方に向かって形成され裏面視においてＵ字形または馬蹄形に形成された取付金具挿入用凹条部内に挿入されて係止されることを特徴とするタイル。 
【請求項６】
下地材と、該下地材に取り付けられたタイルと、前記下地材と前記タイルとの間に介在され前記下地材に前記タイルを取り付けるためのタイル取付金具とを有したタイル取付構造であって、
該タイル取付金具は金属製線状体を屈曲または湾曲して形成され、前記タイルの裏面に沿って配される一対の線状部を有すると共に前記下地材に係止するための係止部を備えた第１線状部と、該第１線状部の前記一対の線状部の端部にそれぞれ連続して設けられ前記第１線状部が延在する方向に対して側面視で一方側に突出するように設けられた湾曲部を有した第２線状部とを有し、
前記タイル取付金具は、前記第２線状部が、前記タイルの裏面において裏面側から表面側に向かって斜め上方に向かって形成され裏面視においてＵ字形または馬蹄形に形成された取付金具挿入用凹条部内に挿入されて係止されていると共に、前記第１線状部が前記下地材に係止されることで前記タイルが前記下地材に固定されていることを特徴とするタイル取付構造。
【考案の詳細な説明】
【技術分野】
【０００１】
本考案は、建築物等の壁面などへの乾式工法またはＰＣ板などの先付け工法に使用して好適なタイル取付金具、それを用いるタイルおよびタイル取付構造に関するものである。
【背景技術】
【０００２】
近年、タイル施工技術者の減少、工期短縮またはコスト低減などの要請から、タイルの施工方法として乾式工法やＰＣ板などの先付け工法が一般化している。
これらの工法において下地材にタイルを金具などで固定することが行われており、例えばそのようなタイル取付金具として、本件出願人は先に実用新案登録第３１８２０６６号公報のタイル取付金具を提案している。
【０００３】
このタイル取付金具も、タイルが下地材から外れて落下することがなく、取り付け作業が極めて容易で、予めタイルに固定しても嵩張らず工期の短縮を図る上で極めて有効であるが、タイルの裏面に、裏面側から表面側に向かって斜め上方に向かって形成された長尺状の取付金具挿入用凹条部を形成する必要があり、そのような取付金具挿入用凹条部の形成には高価な装置と手間を要した。また、長尺状の取付金具挿入用凹条部の形成は小さなタイルには困難であり、場合によってはタイルの強度に影響を与えるおそれがあった。
【先行技術文献】
【特許文献】
【０００４】
【特許文献１】第３１８２０６６号公報
【考案の概要】
【考案が解決しようとする課題】
【０００５】
そこで、本考案の課題は、タイルが下地材から外れて落下することがなく、取り付け作業が極めて容易で工期の短縮も可能であることに加え、タイル裏面に形成する取付金具挿入用凹条部が小さくて済み、形成が容易であると共にタイルの強度に影響を与えることがなく、小さいタイルにも使用することができるタイル取付金具、そのタイル取付金具を用いるタイルおよびそのタイル取付金具を用いたタイル取付構造を提供することにある。
【課題を解決するための手段】
【０００６】
上記課題を解決するものは、下地材とタイルとの間に介在され前記下地材に前記タイルを取り付けるためのタイル取付金具であって、該タイル取付金具は金属製線状体を屈曲または湾曲して形成され、前記タイルの裏面に沿って配される一対の線状部を有すると共に前記下地材に係止するための係止部を備えた第１線状部と、該第１線状部の前記一対の線状部の端部にそれぞれ連続して設けられ前記第１線状部が延在する方向に対して側面視で一方側に突出するように設けられた湾曲部を有した第２線状部とを有し、前記第２線状部は、前記タイルの裏面において裏面側から表面側に向かって斜め上方に向かって形成され裏面視においてＵ字形または馬蹄形に形成された取付金具挿入用凹条部内に挿入されて係止されることを特徴とするタイル取付金具である（請求項１）。
【０００７】
前記第２線状部は、前記第１線状部が延在する方向に対して側面視で斜め下方に延在するように構成されていることが好ましい（請求項２）。前記タイル取付金具は、一本のステンレス製バネ材にて形成されていることが好ましい（請求項３）。前記第１線状部の前記係止部は正面視で頂部に設けられた環状部であることが好ましい（請求項４）。
【０００８】
また、上記課題を解決するものは、下地材とタイルとの間に介在され前記下地材に前記タイルを取り付けるためのタイル取付金具が固定されるタイルであって、前記タイル取付金具は金属製線状体を屈曲または湾曲して形成され、前記タイルの裏面に沿って配される一対の線状部を有すると共に前記下地材に係止するための係止部を備えた第１線状部と、該第１線状部の前記一対の線状部の端部にそれぞれ連続して設けられ前記第１線状部が延在する方向に対して側面視で一方側に突出するように設けられた湾曲部を有した第２線状部とを有し、前記タイル取付金具の前記第２線状部が、前記タイルの裏面において裏面側から表面側に向かって斜め上方に向かって形成され裏面視においてＵ字形または馬蹄形に形成された取付金具挿入用凹条部内に挿入されて係止されることを特徴とするタイルである（請求項５）。 
【０００９】
さらに、上記課題を解決するものは、下地材と、該下地材に取り付けられたタイルと、前記下地材と前記タイルとの間に介在され前記下地材に前記タイルを取り付けるためのタイル取付金具とを有したタイル取付構造であって、該タイル取付金具は金属製線状体を屈曲または湾曲して形成され、前記タイルの裏面に沿って配される一対の線状部を有すると共に前記下地材に係止するための係止部を備えた第１線状部と、該第１線状部の前記一対の線状部の端部にそれぞれ連続して設けられ前記第１線状部が延在する方向に対して側面視で一方側に突出するように設けられた湾曲部を有した第２線状部とを有し、前記タイル取付金具は、前記第２線状部が、前記タイルの裏面において裏面側から表面側に向かって斜め上方に向かって形成され裏面視においてＵ字形または馬蹄形に形成された取付金具挿入用凹条部内に挿入されて係止されていると共に、前記第１線状部が前記下地材に係止されることで前記タイルが前記下地材に固定されていることを特徴とするタイル取付構造である（請求項６）。
【考案の効果】
【００１０】
請求項１に記載したタイル取付金具によれば、タイルが下地材から外れて落下することがなく、取り付け作業が極めて容易で工期の短縮も可能であることに加え、タイル裏面に形成する取付金具挿入用凹条部が小さくて済み、形成が容易であると共にタイルの強度に影響を与えることがなく、小さいタイルにも使用することができる。
請求項２に記載したタイル取付金具によれば、タイルの裏面に設けられた取付金具挿入用凹条部内に挿入され係止可能なタイル取付金具をより容易に作製できる。
請求項３に記載したタイル取付金具によれば、より強靱性および強度性に優れたタイル取付金具が構成される。
請求項４に記載したタイル取付金具によれば、頂部の環状部を用いて容易かつ確実に下地材にタイルを係止させることができる。
請求項５に記載したタイルによれば、タイルが下地材から外れて落下することがなく工期の短縮も可能なタイルとなる。
請求項６に記載したタイル取付構造によれば、タイルが下地材から外れて落下することがなく工期の短縮も可能なタイル取付構造となる。 
【図面の簡単な説明】
【００１１】
【図１】本考案のタイル取付金具の一実施例の斜視図である。
【図２】図１に示したタイル取付金具の正面図である。
【図３】図２の右側面図である。
【図４】本考案のタイルの一実施例の背面図である。
【図５】図１に示したタイル取付金具を裏面に取り付けたタイルの背面図である。
【図６】本考案のタイル取付構造を説明するための縦断面図である。
【図７】本考案のタイルの他の実施例の背面図である。
【考案を実施するための形態】
【００１２】
本考案では、下地材９０とタイル５０との間に介在され下地材９０にタイル５０を取り付けるためのタイル取付金具１であって、タイル取付金具１は金属製線状体を屈曲または湾曲して形成され、タイル５０の裏面５０ａに沿って配される一対の線状部２ａ，２ｂを有すると共に下地材９０に係止するための係止部２ｃを備えた第１線状部２と、第１線状部２の一対の線状部２ａ，２ｂの端部にそれぞれ連続して設けられ第１線状部２が延在する方向に対して側面視で一方側に突出するように設けられた湾曲部３ａ３ｂを有した第２線状部３とを有し、第２線状部３は、タイル５０の裏面５０ａにおいて裏面５０ａ側から表面５０ｂ側に向かって斜め上方に向かって形成され裏面視においてＵ字形または馬蹄形に形成された取付金具挿入用凹条部５１内に挿入されて係止されることで、タイル５０が下地材９０から外れて落下することがなく、取り付け作業が極めて容易で工期の短縮も可能であることに加え、タイル５０の裏面５０ａに形成する取付金具挿入用凹条部５１が小さくて済み、形成が容易であるとタイル５０の強度に影響を与えることがなく、小さいタイルにも使用することができるタイル取付金具１、そのタイル取付金具１を用いるタイル５０およびそのタイル取付金具１を用いたタイル取付構造を実現した。
【実施例】
【００１３】
本考案のタイル取付金具を図１ないし図６に示した一実施例を用いて説明する。
この実施例のタイル取付金具１は、下地材９０とタイル５０との間に介在され下地材９０にタイル５０を取り付けるためのタイル取付金具１であって、タイル取付金具１は金属製線状体を屈曲または湾曲して形成され、タイル５０の裏面５０ａに沿って配される一対の線状部２ａ，２ｂを有すると共に下地材９０に係止するための係止部２ｃを備えた第１線状部２と、第１線状部２の一対の線状部２ａ，２ｂの端部にそれぞれ連続して設けられ第１線状部２が延在する方向に対して側面視で一方側に突出するように設けられた湾曲部３ａ，３ｂを有した第２線状部３とを有し、第２線状部３は、タイル５０の裏面５０ａにおいて裏面５０ａ側から表面５０ｂ側に向かって斜め上方に向かって形成され裏面視においてＵ字形または馬蹄形に形成された取付金具挿入用凹条部５１内に挿入されて係止されるものである。以下、各構成について順次詳述する。
【００１４】
この実施例のタイル取付金具１は、図６に示すように、下地材９０とタイル５０との間に介在され、下地材９０にタイル５０を取り付けるためのものである。
【００１５】
この実施例のタイル取付金具１は、ステンレス製バネ材からなる一本の金属製線状体を屈曲または湾曲して形成されており、タイル５０を保持した状態でも経時的に変形または分断しない剛性と強度を備えている。
【００１６】
第１線状部２は、図２または図３に示すように、タイル取付金具１の上部付近に設けられ下地材９０に係止するための係止部（この実施例では環状部）２ｃを有している。この実施例の係止部２ｃは、正面視（図２参照）の頂部に設けられており、例えば図６に示すように、この係止部（この実施例では環状部）２ｃ内にビス７０を打ち込んでタイル取付金具１およびタイル５０を下地材９０に固定したり、この係止部２ｃにピアノ線などを取り付けてピアノ線を下地材９０に固定することでタイル取付金具１およびタイル５０を下地材９０に固定し、タイル５０の落下を防止させることができるよう構成されている。
【００１７】
また、第１線状部２は、図５または図６示すように、タイル５０の裏面５０ａに沿って配されるため、タイル取付金具１をタイル５０の裏面５０ａに固定しても、ステンレス製バネ材からなる金属製線状体の太さ分（この実施例では約０．４ｍｍ）裏面５０ａ側に突出するのみで嵩張らないことから、予めタイル取付金具１を固定させたタイル５０の保管または搬送も容易なものとなる。
【００１８】
この実施例の第１線状部２は、図２に示すように、一対の線状部２ａ，２ｂを有しており、一対の線状部２ａ，２ｂがタイル５０の裏面５０ａに配される。また、この実施例の第１線状部２の係止部２ｃは環状部に形成されているが、これに限定されるものではなく、例えば略三角形状、略半円形状、略半楕円形状などに形成されていてもよい。
【００１９】
第２線状部３は、図５または図６に示すように、タイル５０の裏面５０ａにおいて正面視でＵ字形または馬蹄形（半円形の馬蹄形、半円形以上の馬蹄形、半円形以下の馬蹄形を含む。）に形成され、かつ裏面５０ａ側から表面５０ｂ側に向かって斜め上方、この実施例では、裏面５０ａの延在方向に対して斜め４０°上方に向かって形成された取付金具挿入用凹条部５１内に挿入されて固定される部位である。
【００２０】
この第２線状部３は、第１線状部２の一対の線状部２ａ，２ｂの端部にそれぞれ連続して設けられ先端間に延在する一対の湾曲部３ａ，３ｂを有している。これらの一対の湾曲部３ａ，３ｂは、Ｕ字形または馬蹄形の取付金具挿入用凹条部５１内の湾曲部に対応してより確実に係止される。
【００２１】
第２線状部３は、図３または図６に示すように、第１線状部２が延在する方向に対して側面視で斜め下方に延在するように構成されている。具体的には、この実施例の第２線状部３は、第１線状部２の延在する方向に対して１３０°（図３中Ｘ°）の方向に延在するように構成されている。これにより、Ｕ字形または馬蹄形の取付金具挿入用凹条部５１内により確実に係止される。ただし、第２線状部は、取付金具挿入用凹条部内に挿入され係止可能は角度の延在するように形成されたものは広く本考案の範疇に包含される。
【００２２】
なお、この実施例のタイル取付金具１は一本の金属製線状体を屈曲または湾曲して形成されているため、第２線状部３の中央部は分断し重なっている。これにより、一対の湾曲部３ａ，３ｂ同士が重なってより確実に係止される。ただし、本考案のタイル取付金具には、第２線状部３の中央部が分断していないものも包含される。
【００２３】
つぎに、本考案のタイル取付金具を用いるタイルを図４ないし図６に示した一実施例を用いて説明する。
この実施例のタイル５０は、下地材９０とタイル５０との間に介在され下地材９０にタイル５０を取り付けるためのタイル取付金具１が固定されるタイル５０であって、タイル取付金具１は金属製線状体を屈曲または湾曲して形成され、タイル５０の裏面５０ａに沿って配される一対の線状部２ａ，２ｂを有すると共に下地材９０に係止するための係止部２ｃを備えた第１線状部２と、第１線状部２の一対の線状部２ａ，２ｂの端部にそれぞれ連続して設けられ第１線状部２が延在する方向に対して側面視で一方側に突出するように設けられた湾曲部３ａ，３ｂを有した第２線状部３とを有し、タイル取付金具１の第２線状部３が、タイル５０の裏面５０ａにおいて裏面５０ａ側から表面５０ｂ側に向かって斜め上方に向かって形成され裏面視においてＵ字形または馬蹄形に形成された取付金具挿入用凹条部５１内に挿入されて係止されることを特徴とするタイルである。以下、各構成について順次詳述するが、タイル取付金具１の構成については前述した通りであり、同一符号を付し説明を省略する。
【００２４】
この実施例のタイル５０は陶磁質タイルであるが、これに限定されるものではなく壁面等の下地材９０に張設されるものであればどのような材質のものでもよく、例えば石材タイルなどであってもよい。また、この実施例のタイル５０は矩形のタイルであるが、これに限定されるものではなく、例えば円形、楕円形、菱形などの形態を有するタイルであってもよい。
【００２５】
タイル５０の裏面５０ａには、図３または図６に示すように、裏面５０ａ側から表面５０ｂ側に向かって斜め上方に向かって形成され裏面視においてＵ字形または馬蹄形に形成された取付金具挿入用凹条部５１が設けられている。この取付金具挿入用凹条部５１は、タイル５０を壁面等の下地材９０に張設する際にタイル取付金具１の第２線状部３を挿入するための部位である。
【００２６】
さらに、本考案のタイル取付金具１を用いたタイル取付構造を図６に示した一実施例を用いて説明する。
この実施例のタイル取付金具１を用いたタイル取付構造は、下地材９０と、下地材９０に取り付けられたタイル５０と、下地材９０とタイル５０との間に介在され下地材９０にタイル５０を取り付けるためのタイル取付金具１とを有したタイル取付構造であって、タイル取付金具１は金属製線状体を屈曲または湾曲して形成され、タイル５０の裏面５０ａに沿って配される一対の線状部２ａ，２ｂを有すると共に下地材９０に係止するための係止部２ｃを備えた第１線状部２と、第１線状部２の一対の線状部２ａ，２ｂの端部にそれぞれ連続して設けられ第１線状部２が延在する方向に対して側面視で一方側に突出するように設けられた湾曲部３ａ，３ｂを有した第２線状部３とを有し、タイル取付金具１は、第２線状部３が、タイル５０の裏面５０ａにおいて裏面５０ａ側から表面５０ｂ側に向かって斜め上方に向かって形成され裏面視においてＵ字形または馬蹄形に形成された取付金具挿入用凹条部５１内に挿入されて係止されていると共に、第１線状部２が下地材９０に係止されることでタイル５０が下地材９０に固定されていることを特徴とするタイル取付構造である。以下、各構成について順次詳述するが、タイル取付金具１およびそれを取り付けたタイル５０については前述した通りであり詳述を省略する。
【００２７】
下地材９０はタイル５０を取り付けるためのものであり、この実施例の下地材９０は木質系下地材であるが、タイル５０を張設するものであればどのようなものでもよく、例えばコンクリート製躯体、ベースボード、パネル工法におけるセメント板などでもよい。
【００２８】
そして、この実施例のタイル取付金具１を用いたタイル取付構造では、予めタイル取付金具１の第２線状部３が、タイル５０の裏面５０ａにおいて裏面５０ａ側から表面５０ｂ側に向かって斜め上方に形成された取付金具挿入用凹条部５１内に挿入され、さらに接着剤（この実施例ではエポキシ樹脂）７１にて固着されることでタイル５０に固定されている。これにより、第２線状部３の係止力を高めタイル５０の落下をより防止することができる。
【００２９】
そして、タイル取付金具１の第１線状部２の係止部２ｃが下地材９０に係止されることで下地材９０に固定されている。具体的には、この係止部（この実施例では環状部）２ｃ内にビス７０が打ち込まれることでタイル取付金具１およびタイル５０が下地材９０に固定されている。
【００３０】
つぎに、図８に示した本考案のタイルの他の実施例を用いて説明する。
この実施例のタイル６０と前述したタイル５０との基本的な相違点は、タイル５０が図４に示すように長手方向を上下方向として下地材９０に固定するものであることから、裏面視でＵ字形または馬蹄形の取付金具挿入用凹条部５１が一つ長手方向の上部中央付近に設けられているのに対して、この実施例のタイル６０は、長手方向を横方向として下地材９０に固定するものであることから、裏面視でＵ字形または馬蹄形の取付金具挿入用凹条部５１が長手方向に沿って２つ離隔して設けられている点である。このように複数のＵ字形または馬蹄形の取付金具挿入用凹条部５１を有するものも本考案のタイルの範疇に包含される。また、長手方向を横方向として下地材９０に固定されるタイルであって、一つのＵ字形または馬蹄形の取付金具挿入用凹条部５１を有するものも本考案のタイルの範疇に包含される。なお、タイル５０と同一構成部分について同一符号を付し説明を省略する。
【００３１】
以上のように、本考案のタイル取付金具、それを用いるタイルおよびタイル取付構造では、タイル取付金具が、金属製線状体を屈曲または湾曲して形成され、タイルの裏面に沿って配される一対の線状部を有すると共に下地材に係止するための係止部を備えた第１線状部と、第１線状部の一対の線状部の端部にそれぞれ連続して設けられ第１線状部が延在する方向に対して側面視で一方側に突出するように設けられた湾曲部を有した第２線状部とを有し、第２線状部が、タイルの裏面において裏面側から表面側に向かって斜め上方に向かって形成され裏面視においてＵ字形または馬蹄形に形成された取付金具挿入用凹条部内に挿入されて係止されるため、タイルが下地材から外れて落下することがなく、取り付け作業が極めて容易で工期の短縮も可能であることに加え、タイル裏面に形成する取付金具挿入用凹条部が小さくて済み、形成が容易であるとタイルの強度に影響を与えることがなく、小さいタイルにも使用することができる。
【符号の説明】
【００３２】
１           タイル取付金具
２           第１線状部
２ａ，２ｂ    一対の線状部
２ｃ          係止部
３            第２線状部
３ａ，３ｂ    湾曲部
５０          タイル
５０ａ        裏面
５０ｂ        表面
５１          取付金具挿入用凹条部
９０         下地材
【図１】
0003234919.tif 000003
【図２】
0003234919.tif 000004
【図３】
0003234919.tif 000005
【図４】
0003234919.tif 000006
【図５】
0003234919.tif 000007
【図６】
0003234919.tif 000008
【図７】
0003234919.tif 000009